(57)【要約】  本発明の実施例は、ページング方法、機器およびシステムを提供する。当該方法は、第１基地局が、ライト接続状態の端末の下りリンクデータを受信すると、前記端末のページングＩＤを生成することと、前記第１基地局が、前記ページングＩＤに基づいて、ページングエリア内でページングメッセージを送信することとを含む。【選択図】  図６
2019510437.tif 000002
【特許請求の範囲】
【請求項１】
第１基地局が、ライト接続状態の端末の下りリンクデータを受信すると、前記端末のページングＩＤを生成することと、
前記第１基地局が、前記ページングＩＤに基づいて、ページングエリア内でページングメッセージを送信することとを含むページング方法。
【請求項２】
前記ライト接続状態の端末の下りリンクデータの受信に先立って、
前記第１基地局が、接続状態の端末のライト接続状態への遷移を専用シグナリングで配置することと、
前記第１基地局が、ライト接続状態に遷移した端末のＳ１コネクションを保持することとをさらに含む請求項１に記載のページング方法。
【請求項３】
前記第１基地局が、前記ページングＩＤに基づいて、ページングエリア内でページングメッセージを送信することは、
前記第１基地局が、前記端末のＳ−ＴＭＳＩを前記端末のページングＩＤとして用い、ページングエリア内でエアインタフェースを介して前記端末にページングメッセージを送信すること、
または、
前記第１基地局が、生成した前記端末のコネクション復旧ＩＤを前記端末のページングＩＤとして用い、ページングエリア内でエアインタフェースを介して前記端末にページングメッセージを送信すること、
または、
前記第１基地局が、前記ページングＩＤを前記ページングエリア内の複数の第２基地局に送信し、前記ページングエリア内の複数の第２基地局がいずれも配下セル内で前記ページングメッセージを送信することを含む請求項１に記載のページング方法。
【請求項４】
ページングエリア内でのページングメッセージ送信後に、
前記第１基地局が、前記端末とのＲＲＣコネクションを確立し、コネクション確立プロセスに付帯されるページングに関するＮＡＳメッセージを廃棄することと、
前記第１基地局が、接続状態に遷移した前記端末に下りリンクデータを送信することとをさらに含む請求項１に記載のページング方法。
【請求項５】
前記第１基地局が、ライト接続状態の端末のページングパラメータをシステム情報でブロードキャストすることをさらに含む請求項１に記載のページング方法。
【請求項６】
第２基地局が、ライト接続状態の端末の下りリンクデータを受信した第１基地局からページングエリア内で送信され、ライト接続状態の端末をページングするためのページングメッセージを受信することと、
前記第２基地局が、配下のセル内で前記ページングメッセージを送信することとを含むページング方法。
【請求項７】
前記第２基地局が、前記端末とのＲＲＣコネクションを確立し、コネクション確立プロセスに付帯されるページングに関するＮＡＳメッセージを廃棄することと、
前記第２基地局が、前記端末とのコネクション確立情報を前記第１基地局に通知することとをさらに含む請求項６に記載のページング方法。
【請求項８】
前記第２基地局が、前記第１基地局から送信される下りリンクデータを受信することと、
前記第２基地局が、前記下りリンクデータを前記端末に送信することとをさらに含む請求項７に記載のページング方法。
【請求項９】
前記第２基地局が、ライト接続状態の端末のページングパラメータをシステム情報でブロードキャストすることをさらに含む請求項７に記載のページング方法。
【請求項１０】
ライト接続状態の端末がページングメッセージをモニタリングすることと、
ライト接続状態の端末が、前記ページングメッセージを受信すると、コネクション確立プロセスを開始し、ライト接続状態から接続状態に遷移することとを含むページング方法。
【請求項１１】
ライト接続状態の端末のページングパラメータが付帯されるシステム情報を受信することをさらに含み、
前記ライト接続状態の端末がページングメッセージをモニタリングすることは、
ライト接続状態の端末が、配置されているページングパラメータに従うとともに前記端末のＩＤと結び付けてページング位置を計算し、ページングメッセージをモニタリングすることを含む請求項１０に記載のページング方法。
【請求項１２】
ライト接続状態の端末の下りリンクデータを受信すると、前記端末のページングＩＤを生成するページングＩＤ生成モジュールと、
前記ページングＩＤに基づいて、ページングエリア内でページングメッセージを送信する第１ページングメッセージ送信モジュールとを含む基地局。
【請求項１３】
接続状態の端末のライト接続状態への遷移を専用シグナリングで配置する配置モジュールと、
ライト接続状態に遷移した端末のＳ１コネクションを保持するコネクション保持モジュールとをさらに含む請求項１２に記載の基地局。
【請求項１４】
前記第１ページングメッセージ送信モジュールは、さらに、
前記端末のＳ−ＴＭＳＩを前記端末のページングＩＤとして用い、ページングエリア内でエアインタフェースを介して前記端末にページングメッセージを送信すること、
または、
前記基地局によって生成した前記端末のコネクション復旧ＩＤを前記端末のページングＩＤとして用い、ページングエリア内でエアインタフェースを介して前記端末にページングメッセージを送信すること、
または、
前記ページングＩＤを前記ページングエリア内の複数の第２基地局に送信し、前記ページングエリア内の複数の第２基地局がいずれも配下セル内で前記ページングメッセージを送信することに用いられる請求項１２に記載の基地局。
【請求項１５】
前記端末とのＲＲＣコネクションを確立し、コネクション確立プロセスに付帯されるページングに関するＮＡＳメッセージを廃棄する第２コネクション確立モジュールと、
接続状態に遷移した前記端末に下りリンクデータを送信する第１データ送信モジュールとをさらに含む請求項１２に記載の基地局。
【請求項１６】
ライト接続状態の端末のページングパラメータをシステム情報でブロードキャストする第１ブロードキャストモジュールをさらに含む請求項１２に記載の基地局。
【請求項１７】
ライト接続状態の端末の下りリンクデータを受信した第１基地局からページングエリア内で送信され、ライト接続状態の端末をページングするためのページングメッセージを受信するページングメッセージ受信モジュールと、
配下のセル内で前記ページングメッセージを送信する第２ページングメッセージ送信モジュールとを含む基地局。
【請求項１８】
前記端末とのＲＲＣコネクションを確立し、コネクション確立プロセスに付帯されるページングに関するＮＡＳメッセージを廃棄する第２コネクション確立モジュールと、
前記端末とのコネクション確立情報を前記第１基地局に通知する通知モジュールとをさらに含む請求項１７に記載の基地局。
【請求項１９】
前記第１基地局から送信される下りリンクデータを受信する下りリンクデータ受信モジュールと、
前記下りリンクデータを前記端末に送信する第２データ送信モジュールとをさらに含む請求項１８に記載の基地局。
【請求項２０】
ライト接続状態の端末のページングパラメータをシステム情報でブロードキャストする第２ブロードキャストモジュールをさらに含む請求項１８に記載の基地局。
【請求項２１】
ライト接続状態である場合にページングメッセージをモニタリングするモニタリングモジュールと、
前記ページングメッセージを受信すると、コネクション確立プロセスを開始し、ライト接続状態から接続状態に遷移するコネクション確立開始モジュールとを含む端末。
【請求項２２】
ライト接続状態の端末のページングパラメータが付帯されるシステム情報を受信するシステム情報受信モジュールをさらに含み、
前記モニタリングモジュールは、さらに、
ライト接続状態である場合に、配置されているページングパラメータに従ってページング位置を計算し、ページングメッセージをモニタリングすることに用いられる請求項２１に記載の端末。
【請求項２３】
ライト接続状態の端末の下りリンクデータを受信すると、前記端末のページングＩＤを生成し、さらに、前記ページングＩＤに基づいて、ページングエリア内でページングメッセージを送信する第１基地局と、
ライト接続状態である場合にページングメッセージをモニタリングし、さらに、ライト接続状態で前記ページングメッセージを受信すると、コネクション確立プロセスを開始し、ライト接続状態から接続状態に遷移する端末とを含むページングシステム。
【請求項２４】
ライト接続状態の端末の下りリンクデータを受信すると、前記端末のページングＩＤを生成し、さらに、前記ページングＩＤに基づいて、ページングエリア内でページングメッセージを送信する第１基地局と、
ライト接続状態の端末をページングするためのページングメッセージを前記第１基地局から受信し、さらに、配下のセル内で前記ページングメッセージを送信する第２基地局と、
ライト接続状態である場合にページングメッセージをモニタリングし、さらに、ライト接続状態で前記ページングメッセージを受信すると、コネクション確立プロセスを開始し、ライト接続状態から接続状態に遷移する端末とを含むページングシステム。
【請求項２５】
ライト接続状態の端末の下りリンクデータを受信すると、前記端末のページングＩＤを生成するプロセッサと、
前記ページングＩＤに基づいて、ページングエリア内でページングメッセージを送信するトランシーバとを含む基地局。
【請求項２６】
プロセッサとトランシーバとを含む基地局であって、
プロセッサは、ライト接続状態の端末の下りリンクデータを受信した第１基地局からページングエリア内で送信され、ライト接続状態の端末をページングするためのページングメッセージを、トランシーバで受信するように制御し、
前記トランシーバは、配下のセル内で前記ページングメッセージを送信する基地局。
【請求項２７】
プロセッサ、メモリおよびトランシーバを含む端末であって、
前記プロセッサは、前記メモリからプログラムを読み取ることによって、
ライト接続状態である場合にページングメッセージをモニタリングすることと、
前記ページングメッセージを受信すると、コネクション確立プロセスを開始し、ライト接続状態から接続状態に遷移することを実行するように前記トランシーバを制御する端末。
【発明の詳細な説明】
【技術分野】
【０００１】
本願は、２０１６年３月３１日に中国特許庁に提出された中国特許出願２０１６１０２０２１９２．３の優先権を主張し、その全ての内容が援用によりここに取り込まれる。
本開示は、通信技術分野に係り、特にページング方法、機器およびシステムに係る。
【背景技術】
【０００２】
現在のページングＤＲＸ（間欠受信）メカニズムで、無線ネットワーク側から言えば、ＬＴＥ（Ｌｏｎｇ  Ｔｅｒｍ  Ｅｖｏｌｕｔｉｏｎ）システムにおける端末にＲＲＣ＿ｃｏｎｎｅｃｔｅｄ（接続）状態とＲＲＣ−ｉｄｌｅ（アイドル）状態の２種類の状態がある。端末は、ＲＲＣ＿ｃｏｎｎｅｃｔｅｄ状態に遷移しなければ、上りリンクデータを送信することができない。端末によるデータ送信が一旦終了すると、ネットワークは、長時間にわたって端末によるデータ伝送がないことをモニタリングすると、ＲＲＣ  ｃｏｎｎｅｃｔｉｏｎ  ｒｅｌｅａｓｅメッセージによって、端末のＲＲＣコネクションを用いて、端末をＲＲＣ−ｉｄｌｅ状態に遷移させる。
【０００３】
ｉｄｌｅ状態において、端末は、主にネットワーク側のページングをモニタリングする。節電のために、ＤＲＸ方式でページングをモニタリングする。すなわち、図１に示されているように、ページング周期毎に、１つのサブフレーム（１０ｍｓ）のみが受信状態であり、当該周期内のほかの時間が非受信状態である。
【０００４】
ページングプロセスについて、図２に示されているように、ページングがＣＮ（コアネットワーク）エンティティによって引き起こされ、ページングメッセージ（ＰＡＧＩＮＧ）がまずＭＭＥ（移動性管理エンティティ）からｅＮＢ（基地局）に送信される。当該ページングメッセージには、ＵＥ  Ｓｐｅｃｉｆｉｃ  ＤＲＸ配置が付帯される。ＬＴＥシステムの場合、ｅＮＢは、当該ＤＲＸ配置とシステムメッセージに配置されているＤＲＸパラメータを比較し、短いほうのＤＲＸ周期でページングメッセージを送信する。ｅＮＢから送信されるページングメッセージには、ページングされるＵＥ（端末）のＩＤが付帯される。ＵＥは、ページングメッセージを受信すると、自身のページングＩＤが含まれると確認すると、当該ページングに応答し、コネクション確立プロセスを開始させることによってｃｏｎｎｅｃｔｉｏｎ状態に遷移する。
【０００５】
ネットワークによるＵＥの移動性管理およびＵＥのデータ送受信には、大量のシグナリングが使用される。エアインタフェースのシグナリングコストを節約するために、ＬＴＥ  Ｒ１４において、ライト接続（ＬＣ：Ｌｉｇｈｔ  Ｃｏｎｎｅｃｔｉｏｎ）状態と呼ばれる新しいＲＲＣ状態が導入されている。図３には、状態遷移が示されている。ＵＥがＬｉｇｈｔ  Ｃｏｎｎｅｃｔｉｏｎ状態であるときに、ＭＭＥは、相変わらず端末が接続状態であると認識する。一方、基地局は、端末について、データの送受信ができないもののページングのモニタリングができるＲＲＣ−Ｌｉｇｈｔ−Ｃｏｎｎｅｃｔｉｏｎ状態であると認識する。
【０００６】
関連技術において、端末にｃｏｎｎｅｃｔｉｏｎとｉｄｌｅの２種類の状態しかなく、ページングメカニズムは、ｉｄｌｅ状態のＵＥに対するものであり、ｌｉｇｈｔ  ｃｏｎｎｅｃｔｉｏｎ状態のＵＥに用いることができない。すなわち、下りリンクデータが到着する際に、基地局がどのようにライト接続状態のＵＥをページングするかについて、解決手段がまだ提案されていない。
【発明の概要】
【発明が解決しようとする課題】
【０００７】
上述した技術課題に鑑みて、本開示は、下りリンクデータが到着する際に基地局からライト接続状態の端末へのページングメッセージ送信を可能にするページング方法、機器およびシステムを提供する。
【課題を解決するための手段】
【０００８】
本開示の実施例の１つの方面において、ページング方法を提供する。前記方法は、第１基地局が、ライト接続状態の端末の下りリンクデータを受信すると、前記端末のページングＩＤを生成することと、前記第１基地局が、前記ページングＩＤに基づいて、ページングエリア内でページングメッセージを送信することとを含む。
【０００９】
選択可能に、前記方法は、前記ライト接続状態の端末の下りリンクデータの受信に先立って、前記第１基地局が、接続状態の端末のライト接続状態への遷移を専用シグナリングで配置することと、前記第１基地局が、ライト接続状態に遷移した端末のＳ１コネクションを保持することとをさらに含む。
【００１０】
選択可能に、前記第１基地局が、前記ページングＩＤに基づいて、ページングエリア内でページングメッセージを送信することは、前記第１基地局が、前記端末のＳ−ＴＭＳＩを前記端末のページングＩＤとして用い、ページングエリア内でエアインタフェースを介して前記端末にページングメッセージを送信すること、または、前記第１基地局が、前記第１基地局で生成した前記端末のコネクション復旧ＩＤを前記端末のページングＩＤとして用い、ページングエリア内でエアインタフェースを介して前記端末にページングメッセージを送信すること、または、前記第１基地局が、前記ページングＩＤを前記ページングエリア内の複数の第２基地局に送信し、前記ページングエリア内の複数の第２基地局がいずれも配下セル内で前記ページングメッセージを送信することを含む。
【００１１】
選択可能に、前記方法は、ページングエリア内でのページングメッセージ送信後に、前記第１基地局が、前記端末とのＲＲＣコネクションを確立し、コネクション確立プロセスに付帯されるページングに関するＮＡＳメッセージを廃棄することと、前記第１基地局が、接続状態に遷移した前記端末に下りリンクデータを送信することとをさらに含む。
【００１２】
選択可能に、前記方法は、前記第１基地局が、ライト接続状態の端末のページングパラメータをシステム情報でブロードキャストすることをさらに含む。
【００１３】
本開示の実施例の別の方面において、ページング方法を提供する。前記方法は、第２基地局が、ライト接続状態の端末の下りリンクデータを受信した第１基地局からページングエリア内で送信され、ライト接続状態の端末をページングするためのページングメッセージを受信することと、前記第２基地局が、配下セル内で前記ページングメッセージを送信することとを含む。
【００１４】
選択可能に、前記方法は、前記第２基地局が、前記端末とのＲＲＣコネクションを確立し、コネクション確立プロセスに付帯されるページングに関するＮＡＳメッセージを廃棄することと、前記第２基地局が、前記端末とのコネクション確立情報を前記第１基地局に通知することとをさらに含む。
【００１５】
選択可能に、前記方法は、前記第２基地局が、前記第１基地局から送信される下りリンクデータを受信することと、前記第２基地局が、前記下りリンクデータを前記端末に送信することとをさらに含む。
【００１６】
選択可能に、前記方法は、前記第２基地局が、ライト接続状態の端末のページングパラメータをシステム情報でブロードキャストすることをさらに含む。
【００１７】
本開示の実施例の別の方面において、ページング方法を提供する。前記方法は、ライト接続状態の端末がページングメッセージをモニタリングすることと、ライト接続状態の端末が、前記ページングメッセージを受信すると、コネクション確立プロセスを開始し、ライト接続状態から接続状態に遷移することとを含む。
【００１８】
選択可能に、前記方法は、ライト接続状態の端末のページングパラメータが付帯されるシステム情報を受信することをさらに含み、前記のライト接続状態の端末がページングメッセージをモニタリングすることは、ライト接続状態の端末が、配置されているページングパラメータに従い、前記端末のＩＤと結び付けてページング位置を計算し、ページングメッセージをモニタリングすることを含む。
【００１９】
本開示の実施例の別の方面において、基地局を提供する。前記基地局は、ライト接続状態の端末の下りリンクデータを受信すると、前記端末のページングＩＤを生成するページングＩＤ生成モジュールと、前記ページングＩＤに基づいて、ページングエリア内でページングメッセージを送信する第１ページングメッセージ送信モジュールとを含む。
【００２０】
選択可能に、前記基地局は、接続状態の端末のライト接続状態への遷移を専用シグナリングで配置する配置モジュールと、ライト接続状態に遷移した端末のＳ１コネクションを保持するコネクション保持モジュールとをさらに含む。
【００２１】
選択可能に、前記第１ページングメッセージ送信モジュールは、さらに、前記端末のＳ−ＴＭＳＩを前記端末のページングＩＤとして用い、ページングエリア内でエアインタフェースを介して前記端末にページングメッセージを送信すること、または、前記第１基地局で生成した前記端末のコネクション復旧ＩＤを前記端末のページングＩＤとして用い、ページングエリア内でエアインタフェースを介して前記端末にページングメッセージを送信すること、または、前記ページングＩＤを前記ページングエリア内の複数の第２基地局に送信し、前記ページングエリア内の複数の第２基地局がいずれも配下セル内で前記ページングメッセージを送信することに用いられる。
【００２２】
選択可能に、前記基地局は、前記端末とのＲＲＣコネクションを確立し、コネクション確立プロセスに付帯されるページングに関するＮＡＳメッセージを廃棄する第２コネクション確立モジュールと、接続状態に遷移した前記端末に下りリンクデータを送信する第１データ送信モジュールとをさらに含む。
【００２３】
選択可能に、前記基地局は、ライト接続状態の端末のページングパラメータをシステム情報でブロードキャストする第１ブロードキャストモジュールをさらに含む。
【００２４】
本開示の実施例の別の方面において、基地局を提供する。前記基地局は、ライト接続状態の端末の下りリンクデータを受信した第１基地局からページングエリア内で送信され、ライト接続状態の端末をページングするためのページングメッセージを受信するページングメッセージ受信モジュールと、配下セル内で前記ページングメッセージを送信する第２ページングメッセージ送信モジュールとを含む。
【００２５】
選択可能に、前記基地局は、前記端末とのＲＲＣコネクションを確立し、コネクション確立プロセスに付帯されるページングに関するＮＡＳメッセージを廃棄する第２コネクション確立モジュールと、前記端末とのコネクション確立情報を前記第１基地局に通知する通知モジュールとをさらに含む。
【００２６】
選択可能に、前記基地局は、前記第１基地局から送信される下りリンクデータを受信する下りリンクデータ受信モジュールと、前記下りリンクデータを前記端末に送信する第２データ送信モジュールとをさらに含む。
【００２７】
選択可能に、前記基地局は、ライト接続状態の端末のページングパラメータをシステム情報でブロードキャストする第２ブロードキャストモジュールをさらに含む。
【００２８】
本開示の実施例の別の方面において、端末を提供する。前記端末は、ライト接続状態である場合にページングメッセージをモニタリングするモニタリングモジュールと、前記ページングメッセージを受信すると、コネクション確立プロセスを開始し、ライト接続状態から接続状態に遷移するコネクション確立開始モジュールとを含む。
【００２９】
選択可能に、前記端末は、ライト接続状態の端末のページングパラメータが付帯されるシステム情報を受信するシステム情報受信モジュールをさらに含み、前記モニタリングモジュールは、さらに、ライト接続状態である場合に、配置されているページングパラメータに従ってページング位置を計算し、ページングメッセージをモニタリングすることに用いられる。
【００３０】
本開示の実施例の別の方面において、ページングシステムを提供する。前記ページングシステムは、ライト接続状態の端末の下りリンクデータを受信すると、前記端末のページングＩＤを生成し、さらに、前記ページングＩＤに基づいて、ページングエリア内でページングメッセージを送信する第１基地局と、ライト接続状態である場合にページングメッセージをモニタリングし、さらに、ライト接続状態で前記ページングメッセージを受信すると、コネクション確立プロセスを開始し、ライト接続状態から接続状態に遷移する端末とを含む。
【００３１】
本開示の実施例の別の方面において、ページングシステムを提供する。前記ページングシステムは、ライト接続状態の端末の下りリンクデータを受信すると、前記端末のページングＩＤを生成し、さらに、前記ページングＩＤに基づいて、ページングエリア内でページングメッセージを送信する第１基地局と、前記第１基地局から送信されるライト接続状態の端末をページングするためのページングメッセージを受信し、さらに、配下セル内で前記ページングメッセージを送信する第２基地局と、ライト接続状態である場合にページングメッセージをモニタリングし、さらに、ライト接続状態で前記ページングメッセージを受信すると、コネクション確立プロセスを開始し、ライト接続状態から接続状態に遷移する端末とを含む。
【発明の効果】
【００３２】
ライト接続（Ｌｉｇｈｔ  Ｃｏｎｎｅｃｔｉｏｎ）状態の端末のページングの課題を解決することができ、システム全体のシグナリングコストを低下させるとともにシステム性能を保証する。
【図面の簡単な説明】
【００３３】
【図１】図１は、関連技術における端末のｉｄｌｅ状態でのページングのモニタリングを示す。
【図２】図２は、関連技術におけるＬＴＥシステムのＳ１インタフェースのページングメッセージを示す。
【図３】図３は、関連技術における状態遷移を示す。
【図４】図４は、本開示の実施例によるネットワーク構造の１つを示す。
【図５】図５は、本開示の実施例によるネットワーク構造の１つを示す。
【図６】図６は、本開示の実施例１におけるページングを示す。
【図７】図７は、本開示の実施例２におけるページングを示す。
【図８】図８は、本開示の実施例３におけるページングを示す。
【図９】図９は、本開示の実施例４におけるページングを示す。
【図１０】図１０は、本開示の実施例７におけるｉｎｔｅｒ−ｅＮＢのページングおよび下りリンクデータ送信を示す。
【図１１】図１１は、本開示の実施例８における基地局を示す。
【図１２】図１２は、本開示の実施例９における基地局を示す。
【図１３】図１３は、本開示の実施例１０における基地局を示す。
【図１４】図１４は、本開示の実施例１１における基地局を示す。
【図１５】図１５は、本開示の実施例１２における端末を示す。
【図１６】図１６は、本開示の実施例１３における端末を示す。
【図１７】図１７は、本開示の実施例１４におけるページングシステムを示す。
【図１８】図１８は、本開示の実施例１５におけるページングシステムを示す。
【発明を実施するための形態】
【００３４】
以下、図面を参照して本開示の例示的な実施例をさらに詳細に記載する。図面に本開示の例示的な実施例が示されているものの、本開示は、様々な形態で実現されることが可能であり、ここに記載した実施例に限定されないと理解されたい。かえって、これらの実施例を提供することは、本開示をより徹底的に理解してもらい、本開示の範囲を完全に当業者に伝えるためである。
【００３５】
図４と図５には、本開示の実施例によるネットワーク構造図が示されている。図４に示されているように、ネットワーク構造は、端末４１と、ライト接続状態の端末４１の下りリンクデータを受信する第１基地局４２とを含む。図５に示されているように、ネットワーク構造は、端末４１と、ライト接続状態の端末４１の下りリンクデータを受信する第１基地局４２と、第１基地局４２のページングエリアに位置する第２基地局４３とを含む。端末４１は、無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、またはそれ以外の人の操作によらずに自発的に移動通信ネットワークと通信可能な機器などが含まれる。上記第１基地局４２と第２基地局４３は、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、ＮｏｄｅＢ（３Ｇモバイル基地局の呼称）、ＥＮＢ、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。
【００３６】
実施例１
図４または図５に示すネットワーク構造を参照し、図６は、ページング方法を示している。具体的に、第１基地局が、ライト接続状態の端末の下りリンクデータを受信すると、端末のページングＩＤを生成するステップＳ６０１と、第１基地局が、ページングＩＤに基づいて、ページングエリア内でページングメッセージを送信するステップＳ６０２とを含む。
【００３７】
選択可能に、第１基地局は、端末のＳ−ＴＭＳＩ（一時的な識別子）を端末のページングＩＤとして用い、ページングエリア内でエアインタフェースを介して端末にページングメッセージを送信する。または、第１基地局は、端末のコネクション復旧ＩＤを端末のページングＩＤとして用い、ページングエリア内でエアインタフェースを介して端末にページングメッセージを送信する。ここで、コネクション復旧ＩＤは、第１基地局によって生成される。または、第１基地局は、ページングＩＤをページングエリア内の複数の第２基地局に送信し、ページングエリア内の複数の第２基地局がいずれも配下セル内で前記ページングメッセージを送信する。
【００３８】
選択可能に、前記方法は、上記ステップＳ６０１に先立って、第１基地局が、接続状態の端末のライト接続状態への遷移を専用シグナリングで配置することと、前記第１基地局が、ライト接続状態に遷移した端末のＳ１コネクションを保持することとをさらに含む。
【００３９】
選択可能に、前記方法は、ページングエリア内でのページングメッセージ送信後に、第１基地局が、前記端末とのＲＲＣコネクションを確立し、コネクション確立プロセスに付帯されるページングに関するＮＡＳメッセージを廃棄することと、第１基地局が、接続状態に遷移した前記端末に下りリンクデータを送信することとをさらに含む。
【００４０】
選択可能に、前記方法は、第１基地局が、ライト接続状態の端末のページングパラメータをシステム情報でブロードキャストすることをさらに含む。
【００４１】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００４２】
実施例２
図５に示すネットワーク構造を参照し、図７は、ページング方法を示している。具体的に、第２基地局が、ライト接続状態の端末の下りリンクデータを受信した第１基地局からページングエリア内で送信されるライト接続状態の端末をページングするためのページングメッセージを受信するステップＳ７０１と、第２基地局が、配下セル内でページングメッセージを送信するステップＳ７０２とを含む。
【００４３】
選択可能に、本実施例の方法は、第２基地局が、端末とのＲＲＣコネクションを確立し、コネクション確立プロセスに付帯されるページングに関するＮＡＳメッセージを廃棄することと、第２基地局が、端末とのコネクション確立情報を第１基地局に通知することとをさらに含む。
【００４４】
選択可能に、本実施例の方法は、第２基地局が、第１基地局から送信される下りリンクデータを受信することと、第２基地局が、下りリンクデータを端末に送信することとをさらに含む。
【００４５】
選択可能に、本実施例の方法は、第２基地局が、ライト接続状態の端末のページングパラメータをシステム情報でブロードキャストすることをさらに含む。
【００４６】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００４７】
実施例３
図４または図５に示すネットワーク構造を参照し、図８は、ページング方法を示している。具体的に、ライト接続状態の端末がページングメッセージをモニタリングするステップＳ８０１と、ライト接続状態の端末が、ページングメッセージを受信すると、コネクション確立プロセスを開始し、ライト接続状態から接続状態に遷移するステップＳ８０２とを含む。なお、端末がモニタリングするページングメッセージは、第１基地局から送信されるものであってもよく、第２基地局から送信されるものであってもよい。
【００４８】
選択可能に、方法は、ライト接続状態の端末のページングパラメータが付帯されるシステム情報を受信することをさらに含む。対応して、ステップＳ８０１において、ライト接続状態の端末は、配置されているページングパラメータに従い、端末のＩＤ（例えばＩＭＳＩ）と結び付けてページング位置を計算し、ページングメッセージをモニタリングする。
【００４９】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００５０】
実施例４
図４または図５に示すネットワーク構造を参照し、図９は、ページング方法を示している。具体的に、下記のステップＳ９０１〜Ｓ９０７を含む。
【００５１】
ステップＳ９０１において、ｅＮＢは、接続状態のＵＥのＬＣ状態への遷移を専用シグナリングで配置する。
【００５２】
なお、ｅＮＢは、同時に該ＵＥのＳ１コネクションを保持する。この際に、ＭＭＥは、相変わらずＵＥが接続状態であると認識する。
【００５３】
ステップＳ９０２において、ｅＮＢは、ＭＭＥから当該ＵＥの下りリンクデータを受信する。
【００５４】
ステップＳ９０３において、ｅＮＢは、当該ＵＥのページングＩＤを生成し、ページングエリア内でエアインタフェースを介してＵＥにページングメッセージを送信する。
【００５５】
なお、ページングエリアは、１つまたは複数のｅＮＢを含む。下りリンクデータを受信したｅＮＢは、ページングＩＤを（Ｘ２、Ｓ１または他の基地局間インタフェースを介して）ページングエリア内のすべての基地局に送信し、ページングエリア全体内の基地局がいずれも配下セル内でページングメッセージを送信する。
【００５６】
なお、ｅＮＢは、ＵＥのＳ−ＴＭＳＩをページングＩＤとして用いてもよく、自身で１つのページングＩＤを生成してもよい。本実施例では、ページングＩＤの具体的な形態を限定しない。
【００５７】
ステップＳ９０４において、ＬＣ状態のＵＥは、システム情報に配置されているページング周期にしたがってページング位置を計算し、ページングメッセージをモニタリングする。
【００５８】
ステップＳ９０５において、ＬＣ状態のＵＥは、自身のページングを受信すると、コネクション確立プロセスを開始し、ＬＣ状態から接続状態に遷移する。
【００５９】
ステップＳ９０６において、ｅＮＢは、ＵＥのＲＲＣコネクションを確立し、同時にコネクション確立プロセスに付帯されるページングに関するＮＡＳメッセージを廃棄する。
【００６０】
なお、ＲＲＣコネクションを確立するｅＮＢは、当該ＵＥが接続状態に遷移した情報を、下りリンクデータを受信したｅＮＢ（すなわちページングＩＤを生成するｅＮＢ）に通知する。後者は、ＵＥの下りリンクデータを（Ｘ２または他の基地局間インタフェースを介して）前者に送信する。
【００６１】
ステップＳ９０７において、ｅＮＢは、接続状態に遷移したＵＥに下りリンクデータを送信する。
【００６２】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００６３】
実施例５
本実施例において、ＵＥのページングＩＤは、Ｓ−ＴＭＳＩである。具体的に、ｅＮＢは、ｌｉｇｈｔ  ｃｏｎｎｅｃｔｉｏｎ（ＬＣ）状態のＵＥのページングパラメータをシステム情報でブロードキャストする。ページングパラメータは、ページング周期、ページング密度などを含む。ＵＥは、コネクション確立プロセスを開始する。ｅＮＢは、当該ＵＥが接続状態に遷移すると、当該ＵＥのＳ−ＴＭＳＩを取得して保存する。その後、ｅＮＢは、接続状態のＵＥのＬＣ状態への遷移を専用シグナリングで配置し、同時に当該ＵＥのＳ１コネクションを保持する。この際に、ＭＭＥは、相変わらずＵＥが接続状態であると認識する。ＬＣ状態に遷移したＵＥは、システム情報に配置されているページング周期とページング密度に従い、自身のＩＭＳＩと結び付けて（関連技術の計算方式で）ページング位置を計算し、ページングメッセージをモニタリングする。後に該ＵＥの下りリンクデータが到着すると、ＭＭＥは、直接下りリンクデータをｅＮＢに送信する。ｅＮＢは、Ｓ−ＴＭＳＩを当該ＵＥのページングＩＤとして用い、エアインタフェースを介してＵＥにページングメッセージを送信する。
【００６４】
ＬＣ状態のＵＥは、自身のページングを受信すると、コネクション確立プロセスを開始し、ＬＣ状態から接続状態に遷移する。ｅＮＢは、ＵＥのＲＲＣコネクションを確立し、同時にコネクション確立プロセスに付帯されるページングに関するＮＡＳメッセージを廃棄する。その後、ｅＮＢは、接続状態に遷移したＵＥに下りリンクデータを送信する。
【００６５】
実施例６
本実施例において、ｅＮＢは、ＵＥのページングＩＤを生成する。具体的に、ｅＮＢは、ｌｉｇｈｔ  ｃｏｎｎｅｃｔｉｏｎ（ＬＣ）状態のＵＥのページングパラメータをシステム情報でブロードキャストする。ページングパラメータは、ページング周期、ページング密度などを含む。ＵＥは、コネクション確立プロセスを開始させ、接続状態に遷移してデータを送受信する。その後、ｅＮＢは、当該ＵＥの４０ｂｉｔのコネクション復旧ＩＤをランダムに生成する。ｅＮＢは、専用シグナリングで、接続状態の当該ＵＥのＬＣ状態への遷移を配置する際に、当該コネクション復旧ＩＤをＵＥに配置する。同時に、ｅＮＢは、当該ＵＥのＳ１コネクションを保持する。この際に、ＭＭＥは、相変わらずＵＥが接続状態であると認識する。ＬＣ状態に遷移したＵＥは、システム情報に配置されているページング周期とページング密度に従い、自身のＩＭＳＩと結び付けて（関連技術の計算方式で）ページング位置を計算し、ページングメッセージをモニタリングする。後に当該ＵＥの下りリンクデータが到着すると、ＭＭＥは、直接下りリンクデータをｅＮＢに送信する。ｅＮＢは、当該ＵＥのコネクション復旧ＩＤを当該ＵＥのページングＩＤとして用い、エアインタフェースを介してＵＥにページングメッセージを送信する。
【００６６】
ＬＣ状態のＵＥは、自身のページングを受信すると、コネクション確立プロセスを開始し、ＬＣ状態から接続状態に遷移する。ｅＮＢは、ＵＥのＲＲＣコネクションを確立し、同時にコネクション確立プロセスに付帯されるページングに関するＮＡＳメッセージを廃棄する。その後、ｅＮＢは、接続状態に遷移したＵＥに下りリンクデータを送信する。
実施例７
本実施例は、ｉｎｔｅｒ−ｅＮＢ（基地局間のハンドオーバー）のページングおよび下りリンク送信に係る。図１０に示されているように、具体的に、ｌｉｇｈｔ  ｃｏｎｎｅｃｔｉｏｎ（ＬＣ）ページングエリアのｅＮＢは、ＬＣ状態のＵＥのページングパラメータをシステム情報でブロードキャストする。ページングパラメータは、ページング周期、ページング密度などを含む。ＵＥは、ｅＮＢ１に対しコネクション確立プロセスを開始させ、接続状態に遷移してデータを送受信する。その後、ｅＮＢ１は、当該ＵＥのページングＩＤを生成する。第１基地局は、専用シグナリングで、接続状態の当該ＵＥのＬＣ状態への遷移を配置する際に、当該ページングＩＤをＵＥに配置する。同時に、第１基地局は、当該ＵＥのＳ１コネクションを保持する。この際に、ＭＭＥは、相変わらずＵＥが接続状態であると認識する。ＬＣ状態に遷移したＵＥは、システム情報に配置されているページング周期とページング密度に従い、自身のＩＭＳＩと結び付けて（関連技術の計算方式で）ページング位置を計算し、ページングメッセージをモニタリングする。
【００６７】
後に当該ＵＥの下りリンクデータが到着すると、ＭＭＥは、直接下りリンクデータを第１基地局に送信する。当該第１基地局は、ＵＥのページングＩＤを（Ｘ２、Ｓ１または他の基地局間インタフェースを介して）ページングエリア内のすべての基地局に送信し、ページングエリア全体内の基地局（例えば第２基地局と第３基地局）がいずれも配下セル内で当該ＵＥのページングメッセージを送信する。
【００６８】
現在ＬＣ状態のＵＥが第２基地局に移動した場合、当該ＵＥは、第２基地局で自身のページングを受信すると、コネクション確立プロセスを開始し、ＬＣ状態から接続状態に遷移する。第２基地局は、ＵＥのＲＲＣコネクションを確立し、同時にコネクション確立プロセスに付帯されるページングに関するＮＡＳメッセージを廃棄する。その後、第２基地局は、当該ＵＥが接続状態に遷移した情報を第１基地局に通知する。第１基地局は、ＵＥの下りリンクデータを（Ｘ２または他の基地局間インタフェースを介して）第２基地局に送信する。その後、第２基地局は、接続状態に遷移したＵＥに下りリンクデータを送信する。
【００６９】
実施例８
図１１に示す基地局は、ライト接続状態の端末の下りリンクデータを受信すると、前記端末のページングＩＤを生成するページングＩＤ生成モジュール１１０１と、前記ページングＩＤに基づいて、ページングエリア内でページングメッセージを送信する第１ページングメッセージ送信モジュール１１０２とを含む。
【００７０】
選択可能に、前記基地局は、接続状態の端末のライト接続状態への遷移を専用シグナリングで配置する配置モジュールと、ライト接続状態に遷移した端末のＳ１コネクションを保持するコネクション保持モジュールとをさらに含む。
【００７１】
選択可能に、第１ページングメッセージ送信モジュールは、さらに、前記端末のＳ−ＴＭＳＩを前記端末のページングＩＤとして用い、ページングエリア内でエアインタフェースを介して前記端末にページングメッセージを送信すること、または、前記第１基地局によって生成した前記端末のコネクション復旧ＩＤを前記端末のページングＩＤとして用い、ページングエリア内でエアインタフェースを介して前記端末にページングメッセージを送信すること、または、前記ページングＩＤを前記ページングエリア内の複数の第２基地局に送信し、前記ページングエリア内の複数の第２基地局がいずれも配下セル内で前記ページングメッセージを送信することに用いられる。
【００７２】
選択可能に、基地局は、前記端末とのＲＲＣコネクションを確立し、コネクション確立プロセスに付帯されるページングに関するＮＡＳメッセージを廃棄する第２コネクション確立モジュールと、接続状態に遷移した前記端末に下りリンクデータを送信する第１データ送信モジュールとをさらに含む。
【００７３】
選択可能に、基地局は、ライト接続状態の端末のページングパラメータをシステム情報でブロードキャストする第１ブロードキャストモジュールをさらに含む。
【００７４】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００７５】
実施例９
図１２に示す基地局は、ライト接続状態の端末の下りリンクデータを受信すると、前記端末のページングＩＤを生成する第１プロセッサ１２０２と、前記ページングＩＤに基づいて、ページングエリア内でページングメッセージを送信する第１トランシーバ１２０１とを含む。
【００７６】
選択可能に、第１プロセッサ１２０２は、さらに、接続状態の端末のライト接続状態への遷移を専用シグナリングで配置することと、ライト接続状態に遷移した端末のＳ１コネクションを保持することに用いられる。
【００７７】
選択可能に、第１トランシーバ１２０１は、さらに、前記端末のＳ−ＴＭＳＩを前記端末のページングＩＤとして用い、ページングエリア内でエアインタフェースを介して前記端末にページングメッセージを送信すること、または、前記第１基地局によって生成した前記端末のコネクション復旧ＩＤを前記端末のページングＩＤとして用い、ページングエリア内でエアインタフェースを介して前記端末にページングメッセージを送信すること、または、前記ページングＩＤを前記ページングエリア内の複数の第２基地局に送信し、前記ページングエリア内の複数の第２基地局がいずれも配下セル内で前記ページングメッセージを送信することに用いられる。
【００７８】
選択可能に、第１トランシーバ１２０１は、さらに、前記端末とのＲＲＣコネクションを確立し、コネクション確立プロセスに付帯されるページングに関するＮＡＳメッセージを廃棄することと、接続状態に遷移した前記端末に下りリンクデータを送信することに用いられる。
【００７９】
選択可能に、第１トランシーバ１２０１は、さらに、ライト接続状態の端末のページングパラメータをシステム情報でブロードキャストすることに用いられる。
【００８０】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００８１】
ここで、図１２において、バスアーキテクチャは、任意数の相互接続するバスとブリッジを含み、具体的に、第１プロセッサ１２０２をはじめとする１つ又は複数のプロセッサと第１メモリ１２０３をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ１２０１は、複数の部品であってもよく、即ち送信機と受信機を含み、伝送媒体でほかの各種類の装置と通信するユニットとして提供される。
【００８２】
実施例１０
図１３に示す基地局は、ライト接続状態の端末の下りリンクデータを受信した第１基地局からページングエリア内で送信されたライト接続状態の端末をページングするためのページングメッセージを受信するページングメッセージ受信モジュール１３０１と、配下セル内で前記ページングメッセージを送信する第２ページングメッセージ送信モジュール１３０２とを含む。
【００８３】
選択可能に、基地局は、前記端末とのＲＲＣコネクションを確立し、コネクション確立プロセスに付帯されるページングに関するＮＡＳメッセージを廃棄する第２コネクション確立モジュールと、前記端末とのコネクション確立情報を前記第１基地局に通知する通知モジュールとをさらに含む。
【００８４】
選択可能に、基地局は、前記第１基地局から送信される下りリンクデータを受信する下りリンクデータ受信モジュールと、前記下りリンクデータを前記端末に送信する第２データ送信モジュールとをさらに含む。
【００８５】
選択可能に、基地局は、ライト接続状態の端末のページングパラメータをシステム情報でブロードキャストする第２ブロードキャストモジュールをさらに含む。
【００８６】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００８７】
実施例１１
図１４に示す基地局は、第２プロセッサ１４０２を含む。第２プロセッサ１４０２は、ライト接続状態の端末の下りリンクデータを受信した第１基地局からページングエリア内で送信されたライト接続状態の端末をページングするためのページングメッセージを受信することと、配下セル内で前記ページングメッセージを送信することを実行するようにトランシーバ１４０１を制御する。
【００８８】
選択可能に、第２トランシーバ１４０１は、さらに、前記端末とのＲＲＣコネクションを確立し、コネクション確立プロセスに付帯されるページングに関するＮＡＳメッセージを廃棄することと、前記端末とのコネクション確立情報を前記第１基地局に通知することに用いられる。
【００８９】
選択可能に、第２トランシーバ１４０１は、さらに、ライト接続状態の端末のページングパラメータをシステム情報でブロードキャストすることに用いられる。
【００９０】
ここで、図１４において、バスアーキテクチャは、任意数の相互接続するバスとブリッジを含み、具体的に、第２プロセッサ１４０２をはじめとする１つ又は複数のプロセッサと第２メモリ１４０３をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ１４０１は、複数の部品であってもよく、即ち送信機と受信機を含み、伝送媒体でほかの各種類の装置と通信するユニットとして提供される。
【００９１】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
実施例１２
図１５に示す端末は、ライト接続状態である場合にページングメッセージをモニタリングするモニタリングモジュール１５０１と、前記ページングメッセージを受信すると、コネクション確立プロセスを開始し、ライト接続状態から接続状態に遷移するコネクション確立開始モジュール１５０２とを含む。
【００９２】
選択可能に、前記端末は、ライト接続状態の端末のページングパラメータが付帯されるシステム情報を受信するシステム情報受信モジュールをさらに含む。前記モニタリングモジュールは、さらに、ライト接続状態である場合に、配置されているページングパラメータに従ってページング位置を計算し、ページングメッセージをモニタリングすることに用いられる。
【００９３】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００９４】
実施例１３
図１６に示す端末は、第３プロセッサ１６０２を含む。第３プロセッサ１６０２は、第３メモリ１６０３から読み取ったプログラムに基づいて、ライト接続状態である場合にページングメッセージをモニタリングすることと、前記ページングメッセージを受信すると、コネクション確立プロセスを開始し、ライト接続状態から接続状態に遷移することを実行するように、第３トランシーバ１６０１を制御する。
【００９５】
ここで、図１６において、バスアーキテクチャは、任意数の相互接続するバスとブリッジを含み、具体的に、第３プロセッサ１６０２をはじめとする１つ又は複数のプロセッサと第３メモリ１６０３をはじめとするメモリの各種類の回路が接続したものである。バスアーキテクチャは、周辺デバイス、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第３トランシーバ１６０１は、複数の部品であってもよく、即ち送信機と受信機を含み、伝送媒体でほかの各種類の装置と通信するユニットとして提供される。ユーザ端末によっては、ユーザインタフェース１６０４は、所要機器を内部接続や外部接続するためのインタフェースであってもよい。接続する機器は、キーパッド、ディスプレイ、スピーカ、マイクロフォン、ジョイスティックなどを含むが、それらに限られない。
【００９６】
実施例１４
図１７に示すページングシステムは、ライト接続状態の端末の下りリンクデータを受信すると、端末のページングＩＤを生成し、さらに、前記ページングＩＤに基づいて、ページングエリア内でページングメッセージを送信する第１基地局１７０１と、ライト接続状態である場合にページングメッセージをモニタリングし、さらに、ライト接続状態で前記ページングメッセージを受信すると、コネクション確立プロセスを開始し、ライト接続状態から接続状態に遷移する端末１７０２とを含む。
【００９７】
実施例１５
図１８に示すページングシステムは、ライト接続状態の端末の下りリンクデータを受信すると、前記端末のページングＩＤを生成し、さらに、前記ページングＩＤに基づいて、ページングエリア内でページングメッセージを送信する第１基地局１８０１と、ライト接続状態の端末をページングするためのページングメッセージを前記第１基地局から受信し、さらに、配下セル内で前記ページングメッセージを送信する第２基地局１８０２と、ライト接続状態である場合にページングメッセージをモニタリングし、さらに、ライト接続状態で前記ページングメッセージを受信すると、コネクション確立プロセスを開始し、ライト接続状態から接続状態に遷移する端末１８０３とを含む。
【００９８】
本実施例において、ライト接続状態（Ｌｉｇｈｔ  Ｃｏｎｎｅｃｔｉｏｎ状態）の端末のページング問題を解決することができ、システム全体のシグナリングコストを低下させるとともにシステム性能を保証する。
【００９９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１００】
本発明の各実施例において、上記各プロセスの番号の大きさは、実行順の前後を意味するのではなく、各プロセスの実行順は、その機能および内在的な論理によって確定されるものであり、本発明の実施例の実施プロセスに対しいっさい限定を構成しないと理解すべきである。
【０１０１】
また、本文において、「システム」と「ネットワーク」は、常に互換して使用することができる。
【０１０２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１０３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１０４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１０５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１０６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１０７】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2019510437.tif 000003
【図２】
2019510437.tif 000004
【図３】
2019510437.tif 000005
【図４】
2019510437.tif 000006
【図５】
2019510437.tif 000007
【図６】
2019510437.tif 000008
【図７】
2019510437.tif 000009
【図８】
2019510437.tif 000010
【図９】
2019510437.tif 000011
【図１０】
2019510437.tif 000012
【図１１】
2019510437.tif 000013
【図１２】
2019510437.tif 000014
【図１３】
2019510437.tif 000015
【図１４】
2019510437.tif 000016
【図１５】
2019510437.tif 000017
【図１６】
2019510437.tif 000018
【図１７】
2019510437.tif 000019
【図１８】
2019510437.tif 000020
【手続補正書】
【提出日】平成30年11月2日(2018.11.2)
【手続補正１】
【補正対象書類名】明細書
【補正対象項目名】０００１
【補正方法】変更
【補正の内容】
【０００１】
本開示は、通信技術分野に係り、特にページング方法、機器およびシステムに係る。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２９
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
第１基地局が、ライト接続状態の端末の下りリンクデータを受信すると、前記端末のページングＩＤを生成することと、
前記第１基地局が、前記ページングＩＤに基づいて、ページングエリア内でページングメッセージを送信することとを含むページング方法。
【請求項２】
前記ライト接続状態の端末の下りリンクデータの受信に先立って、
前記第１基地局が、接続状態の端末のライト接続状態への遷移を専用シグナリングで配置することと、
前記第１基地局が、ライト接続状態に遷移した端末のＳ１コネクションを保持することとをさらに含む請求項１に記載のページング方法。
【請求項３】
前記第１基地局が、前記ページングＩＤに基づいて、ページングエリア内でページングメッセージを送信することは、
前記第１基地局が、前記端末のＳ−ＴＭＳＩを前記端末のページングＩＤとして用い、ページングエリア内でエアインタフェースを介して前記端末にページングメッセージを送信すること、
または、
前記第１基地局が、生成した前記端末のコネクション復旧ＩＤを前記端末のページングＩＤとして用い、ページングエリア内でエアインタフェースを介して前記端末にページングメッセージを送信すること、
または、
前記第１基地局が、前記ページングＩＤを前記ページングエリア内の複数の第２基地局に送信し、前記ページングエリア内の複数の第２基地局がいずれも配下セル内で前記ページングメッセージを送信することを含む請求項１に記載のページング方法。
【請求項４】
ページングエリア内でのページングメッセージ送信後に、
前記第１基地局が、前記端末とのＲＲＣコネクションを確立し、コネクション確立プロセスに付帯されるページングに関するＮＡＳメッセージを廃棄することと、
前記第１基地局が、接続状態に遷移した前記端末に下りリンクデータを送信することとをさらに含む請求項１に記載のページング方法。
【請求項５】
前記第１基地局が、ライト接続状態の端末のページングパラメータをシステム情報でブロードキャストすることをさらに含む請求項１に記載のページング方法。
【請求項６】
第２基地局が、ライト接続状態の端末の下りリンクデータを受信した第１基地局からページングエリア内で送信され、ライト接続状態の端末をページングするためのページングメッセージを受信することと、
前記第２基地局が、配下のセル内で前記ページングメッセージを送信することとを含むページング方法。
【請求項７】
前記第２基地局が、前記端末とのＲＲＣコネクションを確立し、コネクション確立プロセスに付帯されるページングに関するＮＡＳメッセージを廃棄することと、
前記第２基地局が、前記端末とのコネクション確立情報を前記第１基地局に通知することとをさらに含む請求項６に記載のページング方法。
【請求項８】
前記第２基地局が、前記第１基地局から送信される下りリンクデータを受信することと、
前記第２基地局が、前記下りリンクデータを前記端末に送信することとをさらに含む請求項７に記載のページング方法。
【請求項９】
前記第２基地局が、ライト接続状態の端末のページングパラメータをシステム情報でブロードキャストすることをさらに含む請求項７に記載のページング方法。
【請求項１０】
ライト接続状態の端末がページングメッセージをモニタリングすることと、
ライト接続状態の端末が、前記ページングメッセージを受信すると、コネクション確立プロセスを開始し、ライト接続状態から接続状態に遷移することとを含むページング方法。
【請求項１１】
ライト接続状態の端末のページングパラメータが付帯されるシステム情報を受信することをさらに含み、
前記ライト接続状態の端末がページングメッセージをモニタリングすることは、
ライト接続状態の端末が、配置されているページングパラメータに従うとともに前記端末のＩＤと結び付けてページング位置を計算し、ページングメッセージをモニタリングすることを含む請求項１０に記載のページング方法。
【請求項１２】
ライト接続状態の端末の下りリンクデータを受信すると、前記端末のページングＩＤを生成するページングＩＤ生成モジュールと、
前記ページングＩＤに基づいて、ページングエリア内でページングメッセージを送信する第１ページングメッセージ送信モジュールとを含む基地局。
【請求項１３】
ライト接続状態の端末の下りリンクデータを受信した第１基地局からページングエリア内で送信され、ライト接続状態の端末をページングするためのページングメッセージを受信するページングメッセージ受信モジュールと、
配下のセル内で前記ページングメッセージを送信する第２ページングメッセージ送信モジュールとを含む基地局。
【請求項１４】
ライト接続状態である場合にページングメッセージをモニタリングするモニタリングモジュールと、
前記ページングメッセージを受信すると、コネクション確立プロセスを開始し、ライト接続状態から接続状態に遷移するコネクション確立開始モジュールとを含む端末。
【請求項１５】
ライト接続状態の端末の下りリンクデータを受信すると、前記端末のページングＩＤを生成するプロセッサと、
前記ページングＩＤに基づいて、ページングエリア内でページングメッセージを送信するトランシーバとを含む基地局。
【国際調査報告】
2019510437.tif 000021
2019510437.tif 000022
2019510437.tif 000023
2019510437.tif 000024